(57)【要約】      （修正有）【課題】ユーザに適した画像編集処理を適用することが可能な写真撮影編集装置、サーバ、写真撮影編集装置およびサーバの制御プログラム、ならびに記録媒体を提供する。【解決手段】写真撮影編集装置においてユーザを被写体とする撮影で得られた撮影画像または編集画像である画像データを受信し管理するサーバであって、画像データに関連づけられている画像評価値を取得する評価取得手段と、評価取得手段の取得した画像評価値が所定値以上である高評価画像に適用された画像編集処理を特定する編集処理特定手段と、編集処理特定手段が特定した画像編集処理と同一または対応する画像編集処理を、高評価画像以外の他の画像データに適用する編集手段とを備える。【選択図】図１８
2015179222.tif 000002
【特許請求の範囲】
【請求項１】
写真撮影編集装置においてユーザを被写体とする撮影で得られた撮影画像または該撮影画像を編集した編集画像である画像データを受信し管理する画像管理サービスを提供するサーバであって、
上記画像データに関連づけられている、上記画像データの評価を示す値である画像評価値を取得する評価取得手段と、
上記評価取得手段の取得した上記画像評価値が所定値以上である高評価画像に適用された画像編集処理を特定する編集処理特定手段と、
上記編集処理特定手段が特定した上記画像編集処理と同一または対応する画像編集処理を、上記高評価画像以外の他の画像データに適用する編集手段と、を備えることを特徴とするサーバ。
【請求項２】
上記画像管理サービスにて管理する上記画像データの中から上記ユーザにより選択された画像データに適用する画像編集処理の候補として、上記編集処理特定手段が特定した上記画像編集処理を提示する候補提示手段を備え、
上記編集手段は、上記候補提示手段が提示した上記画像編集処理の候補の中からユーザにより選択された画像編集処理を、上記選択された画像データに適用することを特徴とする、請求項１に記載のサーバ。
【請求項３】
上記画像評価値を算出する評価算出手段を備え、
上記評価取得手段は、上記評価算出手段の算出した上記画像評価値を取得することを特徴とする、請求項１または２に記載のサーバ。
【請求項４】
上記評価算出手段は、上記ユーザまたは上記画像管理サービスの他のユーザにより、上記画像データの評価を行う旨を示す所定の入力操作が行われた場合に、上記画像評価値を算出することを特徴とする請求項３に記載のサーバ。
【請求項５】
上記評価取得手段は、上記写真撮影編集装置が算出した上記画像評価値を取得することを特徴とする、請求項１または２に記載のサーバ。
【請求項６】
上記画像データを請求項５に記載のサーバに送信する写真撮影編集装置であって、
上記画像評価値を算出する装置評価算出手段を備えることを特徴とする写真撮影編集装置。
【請求項７】
上記画像データに含まれる人物の顔の表情を特定する表情特定手段を備え、
上記装置評価算出手段は、上記表情特定手段が特定した表情が笑顔に近い表情であるほど、上記画像評価値を高く算出することを特徴とする、請求項６に記載の写真撮影編集装置。
【請求項８】
上記撮影画像の撮影時における被写体となる人物の動作の大きさを動作量として特定する動作量特定手段を備え、
上記装置評価算出手段は、上記動作量特定手段が特定した上記動作量が大きくなるほど、上記画像評価値を高く算出することを特徴とする、請求項６に記載の写真撮影編集装置。
【請求項９】
上記撮影画像の編集にかかる時間を編集時間として計測する編集時間計測手段を備え、
上記装置評価算出手段は、上記編集時間計測手段が計測した上記編集時間が長いほど、上記画像評価値を高く算出することを特徴とする、請求項６に記載の写真撮影編集装置。
【請求項１０】
ユーザを被写体とする撮影で得られた撮影画像または該撮影画像を編集した編集画像である画像データを、請求項１から５のいずれか１項に記載のサーバに送信する写真撮影編集装置であって、
上記画像管理サービスにおける上記ユーザの識別情報を取得する認証識別情報取得手段と、
上記認証識別情報取得手段が取得した上記ユーザの識別情報を上記サーバに送信することにより、上記サーバに、上記画像管理サービスにおける上記ユーザの情報を利用するための会員認証を行わせる認証要求手段と、
上記認証要求手段が要求した上記会員認証が成功した場合、上記識別情報に対応する上記画像編集処理を受信する編集処理受信手段と、
上記撮影画像の編集において、上記編集処理受信手段が受信した上記画像編集処理と同一または対応する画像編集処理を、上記撮影画像に適用する装置編集手段と、を備えることを特徴とする写真撮影編集装置。
【請求項１１】
請求項１から５のいずれか１項に記載のサーバとしてコンピュータを機能させるための制御プログラムであって、コンピュータを上記各手段として機能させるための制御プログラム。
【請求項１２】
請求項６から１０のいずれか１項に記載の写真撮影編集装置としてコンピュータを機能させるための制御プログラムであって、コンピュータを上記各手段として機能させるための制御プログラム。
【請求項１３】
請求項１１に記載の制御プログラムを記録したコンピュータ読み取り可能な記録媒体。
【請求項１４】
請求項１２に記載の制御プログラムを記録したコンピュータ読み取り可能な記録媒体。
【発明の詳細な説明】
【技術分野】
【０００１】
本発明は、ユーザを被写体とする撮影で得られた撮影画像または該撮影画像を編集した編集画像である画像データを管理する画像管理サービスに係る、写真撮影編集装置、サーバ、写真撮影編集装置およびサーバの制御プログラム、ならびに記録媒体に関する。
【背景技術】
【０００２】
ユーザの指示に従い写真撮影を行い、得られた画像を写真シールとして出力する写真シール作成装置が従来知られている。このような写真シール作成装置は、タッチペン等を用いて撮影画像にユーザが文字や絵を書き込む（文字や絵の画像を撮影画像に合成する）編集操作ができるように構成されていることが多い。
【０００３】
例えば、特許文献１には、写真シール作成装置にてユーザが上記編集操作を行う場合に、予め記憶された編集の手本となる画像（手本画像）と、手本画像と同様の編集を行うための編集ツールの集合（パレット）とを表示する技術が開示されている。
【０００４】
また近年、写真シール作成装置において撮影（および編集）された画像をサーバに送信することにより当該サーバで画像を保存するサービス（ウェブページ、アプリケーション等）が提供されている。サーバは上記サービスにおいて、ユーザに画像の閲覧および編集に係るサービスを提供する。
【先行技術文献】
【特許文献】
【０００５】
【特許文献１】特開２００７−６７５６５号公報（２００７年３月１５日公開）
【発明の概要】
【発明が解決しようとする課題】
【０００６】
ところで、上記特許文献１に記載の技術では、撮影条件により初期表示する手本画像およびパレットを決定する。換言すると、上記特許文献１に記載の技術では、手本画像およびパレットの決定において、写真シール作成装置のユーザの嗜好や属性等は考慮していない。
【０００７】
したがって、上記特許文献１に記載の技術では、初期表示された手本画像およびパレットがユーザの希望する編集操作（画像編集処理）を行うのに適さない場合があった。この場合、ユーザは行いたい編集操作を探すのに手間がかかり不便である。そのため、編集操作および編集後の画像に対するユーザの満足度が低下する虞があった。
【０００８】
本発明は、上記課題を鑑みてなされたものであり、その目的は、ユーザに適した画像編集処理を適用することが可能な写真撮影編集装置、サーバ、写真撮影編集装置およびサーバの制御プログラム、ならびに記録媒体を実現することにある。
【課題を解決するための手段】
【０００９】
上記の課題を解決するために、本発明の一態様に係るサーバ（管理サーバ４）は、写真撮影編集装置（写真シール作成装置１）においてユーザを被写体とする撮影で得られた撮影画像または該撮影画像を編集した編集画像である画像データを受信し管理する画像管理サービス（画像提供サイト）を提供するサーバであって、上記画像データに関連づけられている、上記画像データの評価を示す値である画像評価値を取得する評価取得手段（画像管理部４１４）と、上記評価取得手段の取得した上記画像評価値が所定値以上である高評価画像に適用された画像編集処理（落書き）を特定する編集処理特定手段（落書き特定部４１６）と、上記編集処理特定手段が特定した上記画像編集処理と同一または対応する画像編集処理を、上記高評価画像以外の他の画像データに適用する編集手段（画像管理部４１４）と、を備えることを特徴とする。
【００１０】
上記構成によると、サーバは、写真撮影編集装置から受信した画像データのうち、評価の高い画像に適用された画像編集処理（落書き）を、他の画像データに同じ（または対応する）種類およびパラメータ（色、形、大きさ、位置など）で適用することができる。
【００１１】
換言すると、サーバは「良い」画像、すなわち、良く撮れたまたは良く落書きできているなど、ユーザまたはユーザを含む多くの人から良い評価を得た画像に適用された画像編集処理と同じ画像編集処理または対応する画像編集処理を、他の画像に適用することができる。これにより、サーバはユーザに適した画像編集処理を適用できる。
【００１２】
また、上記サーバは、上記画像管理サービスにて管理する上記画像データの中から上記ユーザにより選択された画像データに適用する画像編集処理の候補（一括落書きの候補）として、上記編集処理特定手段が特定した上記画像編集処理（一括落書き）を提示する候補提示手段（ウェブページ作成部４１３）を備え、上記編集手段は、上記候補提示手段が提示した上記画像編集処理の候補の中からユーザにより選択された画像編集処理を、上記選択された画像データに適用してもよい。
【００１３】
上記構成によるとサーバは、高評価画像に適用された画像編集処理を画像編集処理の候補としてユーザに提示し、ユーザが選択した画像編集処理を、ユーザが選択した画像データに適用する。
【００１４】
したがって、サーバはユーザに対し、当該ユーザに適した画像編集処理を提示し、提示した中からユーザが所望した画像編集処理を画像に適用することができる。これにより、サーバはユーザにより適した画像編集処理を選択させ、当該選択された画像編集処理を画像データに適用することができる。
【００１５】
また、上記サーバは、上記画像評価値を算出する評価算出手段（画像評価部４１５）を備え、上記評価取得手段は、上記評価算出手段の算出した上記画像評価値を取得してもよい。
【００１６】
上記構成によると、サーバは自機で画像評価値を算出することができる。換言すると、サーバは画像提供サイト上での画像の評価を算出することができる。
【００１７】
そして、サーバは画像提供サイト上での評価が高い画像に適用された画像編集処理と同じまたは対応する画像編集処理を特定し、当該画像編集処理を他の画像に適用することができる。これにより、サーバはユーザに適した画像編集処理を適用できる。
【００１８】
また、上記サーバにおいて、上記評価算出手段は、上記ユーザまたは上記画像管理サービスの他のユーザにより、上記画像データの評価を行う旨を示す所定の入力操作が行われた場合に、上記画像評価値を算出してもよい。
【００１９】
上記構成によるとサーバは、ユーザにとって撮影および編集における満足度の高い画像、または他人からの評価が高い画像（他人からの人気が高い画像）に適用された画像編集処理を、他の画像に同じ、または当該他の画像に対応する形で適用することができる。これにより、ユーザに適した画像編集処理を適用できるという効果を奏する。
【００２０】
また、上記サーバにおいて、上記評価取得手段は、上記写真撮影編集装置が算出した上記画像評価値を取得してもよい。
【００２１】
上記構成によると、サーバは写真撮影編集装置から受信した画像評価値を用いて、上述のサーバと同様の効果を得ることができる。換言すると、サーバは、自機に画像評価値を算出する構成を持たずとも、上述のサーバと同様の効果を得ることができる。
【００２２】
上記の課題を解決するために、本発明の一態様に係る写真撮影編集装置（写真シール作成装置１）は、上記画像データを上記サーバに送信する写真撮影編集装置であって、上記画像評価値を算出する装置評価算出手段（制御部２０１）を備えることを特徴とする。
【００２３】
上記構成によると、写真撮影編集装置は、写真撮影編集装置において行われる写真シール撮影ゲームに係る情報から、画像評価値を算出することができる。そのため、ユーザの嗜好により合致するように画像評価値を算出することができる。
【００２４】
また、上記写真撮影編集装置は、上記画像データに含まれる人物の顔の表情を特定する表情特定手段（撮影制御部３１２）を備え、上記装置評価算出手段は、上記表情特定手段が特定した表情が笑顔に近い表情であるほど、上記画像評価値を高く算出してもよい。
【００２５】
ここで、画像データに含まれる人物の表情が笑顔に近い場合とは、ユーザにとって上手く撮影できた画像（良い表情で、楽しい気分で撮影できた写真）であると推定できる。そのため、表情特定手段が特定した表情が笑顔に近いほど画像評価値を高く算出することで、ユーザが上手く撮影できた画像を高評価とすることができる。
【００２６】
したがって、上記構成によると、被写体となる人間、すなわち、ユーザが上手く撮影できた画像に適用された画像編集処理を、高評価画像以外の画像データに適用する画像編集処理（いわゆる、一括落書き）とすることができる。
【００２７】
また、上記写真撮影編集装置は、上記撮影画像の撮影時における被写体となる人物の動作の大きさを動作量として特定する動作量特定手段（撮影制御部３１２）を備え、上記装置評価算出手段は、上記動作量特定手段が特定した上記動作量が大きくなるほど、上記画像評価値を高く算出してもよい。
【００２８】
動作量は、ユーザが写真撮影における立ち位置を調節したりなどして、積極的に動き回った場合に大きくなると推定できる。つまり、人物の動作量が多い場合、その人物はより積極的に（上手く撮影しようと考えて）撮影を行ったと推定できる。したがって、上記構成によると、被写体となる人間、すなわち、ユーザが上手く撮影しようと工夫した画像に適用された画像編集処理を、高評価画像以外の画像データに適用する画像編集処理（いわゆる、一括落書き）とすることができる。
【００２９】
また、上記写真撮影編集装置は、上記撮影画像の編集にかかる時間を編集時間として計測する編集時間計測手段（編集制御部３１３）を備え、上記装置評価算出手段は、上記編集時間計測手段が計測した上記編集時間が長いほど、上記画像評価値を高く算出してもよい。
【００３０】
編集時間が長い画像は、ユーザが特に注力して（工夫して）編集した画像であると推定できる。したがって、上記構成によると、編集時間が長いほど画像評価値を高く算出することで、ユーザが工夫して編集した画像に適用された画像編集処理を、高評価画像以外の画像データに適用する画像編集処理（いわゆる、一括落書き）とすることができる。
【００３１】
上記の課題を解決するために、本発明の一態様に係る写真撮影編集装置（写真シール作成装置１）は、ユーザを被写体とする撮影で得られた撮影画像または該撮影画像を編集した編集画像である画像データを上記サーバに送信する写真撮影編集装置であって、上記画像管理サービスにおける上記ユーザの識別情報を取得する認証識別情報取得手段（認証制御部３１６）と、上記認証識別情報取得手段が取得した上記ユーザの識別情報を上記サーバに送信することにより、上記サーバに、上記画像管理サービスにおける上記ユーザの情報を利用するための会員認証を行わせる認証要求手段（認証制御部３１６）と、上記認証要求手段が要求した上記会員認証が成功した場合、上記識別情報に対応する上記画像編集処理を受信する編集処理受信手段（制御部２０１）と、上記撮影画像の編集において、上記編集処理受信手段が受信した上記画像編集処理と同一または対応する画像編集処理を、上記撮影画像に適用する装置編集手段（編集制御部３１３）と、を備えることを特徴とする。
【００３２】
上記構成によると、写真撮影編集装置は、サーバから評価の高い画像に適用された画像編集処理を受信することで、写真撮影編集装置の編集工程において、上記画像編集処理と同じ（または対応する）種類およびパラメータ（色、形、大きさ、位置など）で画像編集処理を適用することができる。したがって、写真撮影編集装置はユーザに適した画像編集処理を適用できる。
【００３３】
本発明の各態様に係るサーバおよび写真撮影編集装置は、コンピュータによって実現してもよく、この場合には、コンピュータを上記サーバまたは上記写真撮影編集装置が備える各手段として動作させることにより上記サーバまたは上記写真撮影編集装置をコンピュータにて実現させる上記サーバまたは上記写真撮影編集装置の制御プログラム、およびそれを記録したコンピュータ読み取り可能な記録媒体も、本発明の範疇に入る。
【発明の効果】
【００３４】
本発明によれば、ユーザに適した画像編集処理を適用することが可能となるという効果を奏する。
【図面の簡単な説明】
【００３５】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムにおける携帯端末への画像保存に関する一連の処理の流れの一例を示すシーケンス図である。
【図１７】本発明の第１実施形態における携帯端末への画像保存処理時に携帯端末の表示部に表示されるウェブページの一例を示す画面遷移図である。
【図１８】本発明の第１実施形態に係る管理サーバが一括落書きの候補を特定する処理の流れの例を示すフローチャートである。
【図１９】本発明の第１実施形態における画像提供サイトにおいて画像編集を行うために、携帯端末の表示部に表示されるウェブページの一例を示す画面遷移図である。
【図２０】本発明の第１実施形態に係る写真シール作成装置に一括落書きの候補を表示する処理の流れを示すシーケンス図である。
【発明を実施するための形態】
【００３６】
〔実施形態１〕
本発明の第１実施形態について、図１〜図２０を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００３７】
（撮影画像管理システム１０）
図２は、本発明の第１実施形態に係る撮影画像管理システム１０の構成を示す図である。図２に示すように、撮影画像管理システム１０は、写真シール作成装置１（写真撮影編集装置）、携帯端末６、および管理サーバ４（サーバ）を備えている。
【００３８】
撮影画像管理システム１０の概要について、以下に説明する。撮影画像管理システム１０は、ユーザの写真撮影、画像の編集、画像の写真シールとしての印刷、および画像提供サイト（画像管理サービス）への画像の保存を実現するサービスをユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００３９】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００４０】
ユーザは、自身の会員属性（会員種別）を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００４１】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００４２】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００４３】
画像提供サイトへの画像保存後、ユーザは、携帯端末６または所望の他の装置を用いて画像提供サイトにログインして、画像をダウンロードすることができる。
【００４４】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００４５】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００４６】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００４７】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００４８】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００４９】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００５０】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００５１】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００５２】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００５３】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００５４】
図３に示す編集部１２の構成を正面側の構成とすると、２組のユーザが同時に編集することができるように、編集部１２の正面側と背面側には編集制御に用いられる構成がそれぞれ設けられる。
【００５５】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００５６】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００５７】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００５８】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００５９】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００６０】
（ユーザの移動）
写真シール作成ゲームの流れと、それに伴うユーザの移動について図５を参照して説明する。図５は、ユーザの移動について説明する図である。
【００６１】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００６２】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００６３】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００６４】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００６５】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００６６】
画像の印刷が終了したとき、ユーザは、事後接客部１３に設けられた排出口からシール紙を受け取り、一連の写真シール作成ゲームを終えることになる。
【００６７】
（各部材の構成）
次に、写真シール作成装置１に備えられる各部材の構成について説明する。
【００６８】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００６９】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００７０】
正面パネル４１のほぼ中央には撮影・表示ユニット８１が設けられる。撮影・表示ユニット８１は、カメラ９１、正面ストロボ９２、タッチパネルモニタ９３、非接触型ＩＣリーダ／ライタ９４Ａ、および非接触型ＩＣリーダ／ライタ９４Ｂから構成される。
【００７１】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００７２】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００７３】
非接触型ＩＣリーダ／ライタ９４Ａおよび９４Ｂは、近接された非接触型ＩＣと通信を行い、非接触型ＩＣからのデータの読み出しおよび非接触型ＩＣに対するデータの書き込みを行うものである。
【００７４】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００７５】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００７６】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００７７】
足元ストロボ８６の右側には、ユーザがお金を投入する硬貨投入返却口８７が設けられる。
【００７８】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００７９】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００８０】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００８１】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。また、タブレット内蔵モニタ１３１の左下側、すなわち、タッチペン１３２Ａの下側には非接触型ＩＣリーダ／ライタ９５Ａが設けられる。さらに、タブレット内蔵モニタ１３１の右下側、すなわち、タッチペン１３２Ｂの下側には非接触型ＩＣリーダ／ライタ９５Ｂが設けられる。
【００８２】
タブレット内蔵モニタ１３１は、タッチペン１３２Ａおよび１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００８３】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００８４】
非接触型ＩＣリーダ／ライタ９５Ａおよび９５Ｂは、近接された非接触型ＩＣと通信を行い、非接触型ＩＣからのデータの読み出しおよび非接触型ＩＣに対するデータの書き込みを行うものである。
【００８５】
（事後接客部１３）
編集部１２の左側には事後接客部１３が設けられる。図９は、写真シール作成装置１に備えられる事後接客部１３の構成例を示す図である。
【００８６】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、事後接客の工程において用いられる画面が表示される。具体的には、タブレット内蔵モニタ１６１には、写真シール作成ゲームを行ったユーザに向けた広告、ミニゲーム、またはアンケートなど、の情報が表示される。
【００８７】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００８８】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００８９】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００９０】
スピーカ１６５は、事後接客時の案内音声、ＢＧＭ、効果音等の音を出力する。
【００９１】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００９２】
制御部２０１（装置評価算出手段）は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００９３】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００９４】
通信部２０３はインターネットなどのネットワークのインタフェースであり、制御部２０１による制御に従って外部の装置と通信を行う。
【００９５】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００９６】
ＲＯＭ２０６には、制御部２０１において実行されるプログラムおよびデータが記憶されている。ＲＡＭ２０７は、制御部２０１が処理するデータおよびプログラムを一時的に記憶する。
【００９７】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、スピーカ２２４、および非接触型ＩＣリーダ／ライタ９４Ａ、および非接触型ＩＣリーダ／ライタ９４Ｂから構成される。
【００９８】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００９９】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【０１００】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【０１０１】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【０１０２】
カメラ９１は、制御部２０１による制御に従って撮影を行い、撮影によって得られた画像（画像）を制御部２０１に出力する。
【０１０３】
非接触型ＩＣリーダ／ライタ９４Ａおよび９４Ｂは、近接された非接触型ＩＣからデータを読み出し制御部２０１へ送信する。また、非接触型ＩＣリーダ／ライタ９４Ａおよび９４Ｂは、制御部２０１から受信したデータを非接触型ＩＣに書き込む。
【０１０４】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、スピーカ２３１、非接触型ＩＣリーダ／ライタ９５Ａ、および非接触型ＩＣリーダ／ライタ９５Ｂから構成される。編集部１２Ｂも編集部１２Ａと同一の構成を有しており、編集空間Ａ２−２におけるユーザの編集制御に関する処理を行う。
【０１０５】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。非接触型ＩＣリーダ／ライタ９５Ａおよび９５Ｂは、非接触型ＩＣリーダ／ライタ９４Ａおよび９４Ｂと同様の処理を行う。すなわち、非接触型ＩＣリーダ／ライタ９５Ａおよび９５Ｂは、近接された非接触型ＩＣからデータを読み出し制御部２０１へ送信し、制御部２０１から受信したデータを非接触型ＩＣに書き込む。
【０１０６】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【０１０７】
タブレット内蔵モニタ１６１の事後接客用モニタは、制御部２０１による制御に従って事後接客用の画面を表示する。また、タブレット内蔵モニタ１６１のタブレットは、ユーザの入力操作を入力信号として検出し、制御部２０１へと送信する。
【０１０８】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【０１０９】
また、印刷部２１１は、印刷制御に係る処理において、シール紙への撮影画像（又は編集画像）の印刷に加え、欄外（シール紙の端部など）に、管理サーバ４へ送信した画像を取得するためのＵＲＬ（Uniform Resource Locater）、及び、シールＩＤ（画像取得用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【０１１０】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【０１１１】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコード（登録商標）が印刷されている場合には、ユーザは、携帯端末６を用いてＱＲコード（登録商標）の示すウェブページへアクセスすることにより、画像取得用ページへ直接アクセスすることもできる。
【０１１２】
（制御部の構成）
図１１は、写真シール作成装置１に備えられる制御部２０１の詳細な構成例を示す機能ブロック図である。この図に示すように、制御部２０１は、通信制御部３１１、撮影制御部３１２（表情特定手段、動作量特定手段）、編集制御部３１３（編集時間計測手段、装置編集手段）、印刷制御部３１４、事後接客制御部３１５、および認証制御部３１６（認証識別情報取得手段、認証要求手段）を備えている。
【０１１３】
通信制御部３１１は、通信部２０３による外部の装置との通信を制御する。
【０１１４】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像が撮影された日時に関する日時情報を生成することもできる。
【０１１５】
編集制御部３１３は、編集部１２Ａおよび編集部１２Ｂによる、画像に対する落書き編集等、写真シール作成ゲームにおけるユーザの編集制御に関する処理を制御する。
【０１１６】
印刷制御部３１４は、印刷部２１１による、シール紙の印刷等、写真シール作成ゲームにおけるユーザの印刷制御に関する処理を制御する。
【０１１７】
認証制御部３１６は、写真シール作成装置１において会員認証に係る処理を制御する。認証制御部３１６の機能の詳細については後述する。なお、認証制御部３１６は、写真シール作成装置１において必須の構成ではなく、後述する本実施形態の変形例に記載の処理を行う場合に用いられるものである。
【０１１８】
事後接客制御部３１５は、事後接客部１３による、編集作業を終了したユーザグループを接客する処理等、写真シール作成ゲームにおける事後接客に関する処理を制御する。
【０１１９】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１（編集処理受信手段）、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【０１２０】
（制御部４０１の詳細）
図１に示すように、制御部４０１は、通信制御部４１１、メール作成部４１２、ウェブページ作成部４１３（候補提示手段）、画像管理部４１４（編集手段、評価取得手段）、落書き特定部４１６（編集処理特定手段）、および認証部４１７を備えている。
【０１２１】
（通信制御部４１１）
通信制御部４１１は、通信部４０３による通信を制御する。
【０１２２】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１２３】
（ウェブページ作成部４１３）
ウェブページ作成部４１３は、携帯端末６に表示されるウェブページを作成する。本実施形態では、ウェブページ作成部４１３は、ウェブページデータベース４２３に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【０１２４】
なお、以下において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１２５】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。画像管理部４１４は、さらに詳しくは、画像評価部４１５（評価算出手段）を含む。画像評価部４１５の機能については後で詳述する。
【０１２６】
（落書き特定部４１６）
落書き特定部４１６は、一括落書きの候補を特定するものである。落書き特定部４１６および一括落書きについては後述する。
【０１２７】
（認証部４１７）
認証部４１７は、写真シール作成装置１からのユーザ認証の要求を受け付け、会員認証を行うものである。認証部４１７の機能の詳細については後述する。なお、認証部４１７は、管理サーバ４において必須の構成ではなく、後述する本実施形態の変形例に記載の処理を行う場合に用いられるものである。
【０１２８】
（記憶部４０２の詳細）
図１に示すように、記憶部４０２は、メールデータベース４２１、会員データベース４２２、ウェブページデータベース４２３、および画像データベース４２４を有している。また、記憶部４０２は、図示しないが一括落書きの候補を示すデータを格納している。なお、一括落書きについては後述する。
【０１２９】
（メールデータベース４２１）
メールデータベース４２１は、ユーザに送信するメールを作成するための各種データを格納している。
【０１３０】
（会員データベース４２２）
会員データベース４２２は、画像提供サイトの会員であるユーザに関する各種情報である会員情報を格納している。本実施形態では、会員情報は、写真シール作成装置１を利用するユーザを特定する情報（ユーザ特定情報）をユーザ別に格納したデータである。ユーザ特定情報としては、例えば、ユーザの会員ＩＤ、メールアドレス、ニックネーム、生年月日、住所、会員属性、入会日、および、ユーザが保有する携帯端末の端末ＩＤなどを挙げることができる。また、会員属性としては、例えば、有料会員および無料会員などの会員種別を挙げることができる。
【０１３１】
（ウェブページデータベース４２３）
ウェブページデータベース４２３は、携帯端末６に表示される画像提供サイトのウェブページを作成するための各種データを格納している。
【０１３２】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１３３】
図示はしないが、記憶部４０２は、写真シール作成装置１から受信した画像などのデータを一時的に保存する一時保存データベースも有している。
【０１３４】
なお、画像データベース４２４および一時保存データベースにて保存される画像は、写真シール作成装置１のカメラ９１が撮影した画像、すなわち画像編集処理されていない画像（元画像）、または、写真シール作成装置１が元画像に、ユーザの指示操作に応じた画像編集処理を施した画像（編集画像）である。
【０１３５】
ここで、「画像編集処理」とは、写真シール作成ゲームの編集作業の工程においてユーザが指示（選択）する画像編集処理である。画像編集処理の例としては、所定の図柄のスタンプ、元画像に含まれる（写っている）人物の顔パーツの加工処理、文字および記号などの書き込み、元画像または編集画像全体の色味を、例えばセピア色等に変更する色修正フィルタ等が挙げられる。以降、このような種々の画像編集処理を、「落書き」と総称する。
【０１３６】
画像データベース４２４および一時保存データベースは、写真シール作成装置１によって作成された編集画像を、元画像と、元画像に施された落書きとが対応付けられた状態で記憶する。
【０１３７】
より具体的には、記憶部４０２は、元画像と、落書きの画像（基準となる大きさの合成用画像）および当該落書きに係るパラメータとを、１つの合成画像の画像データとして記憶することにより、編集画像を再現可能に記憶する。ここで、パラメータとは、上記合成用画像を一意に示すＩＤ、元画像への落書きの取付け位置、大きさ（合成用画像からのスケール倍率）、角度、形など落書き（スタンプ等）の配置に係る値、ならびに、色調、明度、および彩度など落書き（フィルタリングなど）による画像全体に対する効果、ならびに、元画像の顔パーツの加工処理に係る情報などである。
【０１３８】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１３９】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１４０】
（制御部６０１の詳細）
図１２に示すように、制御部６０１は、通信制御部６１１、入力制御部６１２、表示制御部６１３、および非接触型ＩＣ６１４を備えている。
【０１４１】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１４２】
非接触型ＩＣ６１４は、写真シール作成装置１の非接触型ＩＣリーダ／ライタと通信を行うものである。より具体的には、非接触型ＩＣ６１４は、非接触型ＩＣリーダ／ライタと近接すると、当該非接触型ＩＣリーダ／ライタに携帯端末６のユーザの認証情報を送信する。なお、非接触型ＩＣ６１４は、写真シール作成装置１の非接触型ＩＣリーダ／ライタ９４Ａ、９４Ｂ、９５Ａ、９５Ｂ、および１６３のいずれと通信を行ってもよい。
【０１４３】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１４４】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１４５】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１４６】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１４７】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１４８】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１４９】
この要求を受けて、管理サーバ４は、無料会員登録を完了させる。具体的には、管理サーバ４が、会員データベース４２２にユーザ用のアカウント領域（会員固有のデータを保存する記憶領域）を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１５０】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１５１】
（サービスの流れ）
次に、撮影画像管理システム１０によって提供されるサービスの流れの詳細について、図１４および図１５を参照して以下に説明する。図１４は、撮影画像管理システム１０における写真撮影から画像保存までの一連の処理の流れの一例を示すシーケンス図である。
【０１５２】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１５３】
所定の金額分の硬貨が投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１５４】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルタによるフィルタリング処理などの画像処理を施した画像を、撮影時に作成することもある。
【０１５５】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１５６】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルタによるフィルタリング処理、及び、複数の画像を一つの画像として仕上げるコラージュ合成処理などの処理を行うこともできる。
【０１５７】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１５８】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１５９】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて画像（編集済みの画像を含む）を管理サーバ４に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。
【０１６０】
（画像送信）
通信制御部３１１は、入力されたメールアドレスおよび選択された画像もしくは制御部２０１が送信対象と決定した画像を、通信部２０３を通じて管理サーバ４に送信する（ステップＳ６）。このとき送信される画像には、当該画像を一義的に特定するための識別子（画像ＩＤ）が関連付けられている。写真シール作成装置１から送信されたメールアドレス、画像、および画像ＩＤを、管理サーバ４の通信部４０３が受信し（ステップＳ７）、通信制御部４１１に出力する。通信制御部４１１は、受信した画像を、記憶部４０２の図示しない一時保存データベースに保存する。保存された画像などのデータは、規定の期限が経過するまで一時保存データベースに格納され続け、期限が経過すると自動的に一時保存データベースから削除される。
【０１６１】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０１６２】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０１６３】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１６４】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０１６５】
（画像保存用ウェブページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。
【０１６６】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１６７】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０１６８】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０１６９】
図１５（ｃ）に示すように、ウェブページ１１０７は、一つのサムネイル画像１１０４、および、全ての画像を保存するためのリンク画像１１０８を含んでいる。
【０１７０】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０１７１】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０１７２】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１５）。
【０１７３】
送信された保存指示を、通信制御部４１１が通信部４０３を通じて受信する（ステップＳ１６）。これにより通信制御部４１１は、画像の保存を画像管理部４１４に指示する。画像管理部４１４は、この指示を受けて、一時保存データベースに格納されているユーザの画像を、ユーザの会員ＩＤに関連付けて画像データベース４２４に保存する（ステップＳ１７）。その際、画像が一枚なら、その画像を保存する。一方、画像が複数枚なら、そのうちのいずれか一つ（たとえばサムネイル画像１１０４に対応する画像）を保存する。これにより、図１４に示す一連の処理は完了する。
【０１７４】
なお、無料会員であるユーザは、全ての画像を保存したい場合、リンク画像１１０５を選択する。この場合、有料会員登録のための一連の処理が撮影画像管理システム１０において行われる。そして登録が完了すると、全ての画像がユーザの会員ＩＤに関連付けられて画像データベース４２４に保存される。
【０１７５】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザの画像記憶領域に、全ての画像を保存する。なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０１７６】
（携帯端末６への画像保存）
以下に、画像提供サイトに保存された画像をユーザの携帯端末６に保存する際の処理の流れについて、図１６および図１７を参照して説明する。図１６は、撮影画像管理システム１０における携帯端末６への画像保存に関する一連の処理の流れの一例を示すシーケンス図である。図１７は、携帯端末６への画像保存処理時に携帯端末６の表示部６０５に表示されるウェブページの一例を示す画面遷移図である。
【０１７７】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合に、ユーザの会員ＩＤおよびパスワードを入力するためのウェブページを取得してもよい。この場合には、管理サーバ４は、ウェブページにおいて会員ＩＤおよびパスワードの入力を受け付ければよい。
【０１７８】
管理サーバ４の通信制御部４１１は、この要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０１７９】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７（ｂ）に示すような会員トップページ１０３１を生成し、通信制御部４１１に出力する。会員トップページ１０３１は、画像提供サイトに保存されているユーザの画像の一覧を表示するためのリンク画像１０３２を含んでいる。通信制御部４１１は、通信部４０３を通じて会員トップページ１０３１を携帯端末６に送信する（ステップＳ２３）。
【０１８０】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２４）。
【０１８１】
ユーザは、携帯端末６の入力部６０４を操作することによって、リンク画像１０３２を選択する（ステップＳ２５）。入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０１８２】
管理サーバ４の通信制御部４１１は、送信されたリクエストを、通信部４０３を通じて受け付ける（ステップＳ２６）。次に通信制御部４１１は、画像データベース４２４に保存されているユーザの画像のうち、携帯端末６に保存する画像を選択するための画像一覧ページ１０４１の生成を、ウェブページ作成部４１３に指示する。
【０１８３】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２７）。
【０１８４】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２８）。
【０１８５】
ユーザは、携帯端末６の入力部６０４を操作することによって、表示中のサムネイル画像１０４２のうち、携帯端末６に保存したい画像に対応するサムネイル画像１０４２を選択する（ステップＳ２９）。入力制御部６１２は、この選択操作を受け付けて、サムネイル画像１０４２が選択されたことを通信制御部６１１に通知する。これにより通信制御部６１１は、選択されたサムネイル画像１０４２に対応する画像の提供を求めるリクエストを、通信部６０３を通じて管理サーバ４に送信する。
【０１８６】
管理サーバ４の通信制御部４１１は、通信部４０３を通じて、送信されたリクエストを受信する（ステップＳ３０）。次に通信制御部４１１は、携帯端末６から提供を求められたユーザの画像を通信制御部４１１に出力するように、画像管理部４１４に指示する。
【０１８７】
画像管理部４１４は、指示された画像を画像データベース４２４から取得し、通信制御部４１１に出力する。通信制御部４１１は、通信部４０３を通じて、入力された画像を携帯端末６に送信する（ステップＳ３１）。
【０１８８】
携帯端末６の通信制御部６１１は、通信部６０３を通じて、送信された画像を受信し、記憶部６０２に保存する（ステップＳ３２）。以上により、携帯端末６への画像保存処理が完了する。
【０１８９】
なお、上述の説明では、携帯端末６が画像提供サイトへログインすることにより画像を取得する構成を例に挙げて説明したが、本実施形態では、シールＩＤを用いて画像を取得することもできる。例えば、携帯端末６は、シール紙に印刷されているＵＲＬ（又は、案内メールに含まれるＵＲＬ）の示すウェブページにアクセスすると共に、ユーザによるシールＩＤの入力操作を受け付けることにより、画像取得用ページにアクセスする。
【０１９０】
このとき、画像取得用ページは、ユーザが有料会員である場合にはシールＩＤにより特定される画像であって１ゲーム中に生成された全ての画像をユーザが選択可能に一覧表示し、ユーザが無料会員である場合にシールＩＤにより特定される全画像のうち１枚の画像のみをユーザが選択可能に一覧表示してもよい。また、画像取得用ページは、ユーザが無料会員である場合には、写真シール作成装置１において予め選択されている１枚の画像のみを表示してもよい。なお、画像取得用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０１９１】
携帯端末６は、画像取得用ページにおいて一覧表示されている画像のうち、ユーザにより選択された画像を管理サーバ４から取得し、記憶部６０２に保存する。なお、ユーザが有料会員である場合には、携帯端末６は、画像取得用ページにおいて一覧表示されている画像に対するユーザの選択操作を受け付けることなく、一覧表示されている全ての画像を管理サーバ４から取得し、記憶部６０２に保存してもよい。
【０１９２】
（画像編集サービス）
本実施形態に係る撮影画像管理システム１０において、管理サーバ４が提供する画像提供サイトは、写真シール作成装置１にて撮影（および編集）された画像を保存する画像保存サービスを提供する。加えて、上記画像提供サイトは、保存された画像に画像提供サイト上で画像編集処理（加工処理）を施す画像編集サービスを提供する。
【０１９３】
なお、画像提供サイトは、写真シール作成装置１以外にて撮影および編集された画像についても、画像保存サービスおよび画像編集サービスの対象としてもよい。例えば、画像提供サイトは、写真シール作成装置１にて撮影（および編集）された画像だけでなく、ユーザの携帯端末６にて撮影（および画像編集）された写真も保存可能に構成されていてもよい。また、画像提供サイトは、保存されている当該写真を編集可能なユーザーインターフェースを提供してもよい。以下、画像編集サービスを提供するための管理サーバ４の構成について、再度図１を用いて説明する。
【０１９４】
≪画像管理部４１４≫
画像管理部４１４は、携帯端末６から画像を編集する（画像に所定の落書きを施す）旨の指示を受信すると、画像データベース４２４に格納された合成画像のデータに含まれる落書きを更新（編集）する。
【０１９５】
より詳しくは、携帯端末６は、入力部６０４においてユーザの落書きの指示（どの落書きを、どのようなパラメータで施すかを示す指示）を受け付け、入力制御部がこれを受信する。当該指示は、通信制御部６１１および通信部６０３を介し、画像管理部４１４に送信される。そして、画像管理部４１４は、受信した上記指示に従って、指定の落書きを指定のパラメータ（後述する一括落書きの場合は既定のパラメータ）で施す。なお、パラメータとは、位置、大きさ、角度、形など落書き（スタンプ等）の配置に係る値や、色調、明度、彩度など落書き（フィルタリングなど）による画像全体に対する効果を定める値である。
【０１９６】
また、画像管理部４１４は、通信部４０３および通信制御部４１１を介して携帯端末６から特定の画像に対し、当該画像の評価を更新する（画像を評価する）旨の指示を受信すると、後述の画像評価部４１５に画像評価値を算出させ、当該画像評価値を評価対象の画像のデータと対応付けて画像データベース４２４に記録する。画像管理部４１４は、さらに詳しくは、画像評価部４１５を含む。
【０１９７】
≪画像評価部４１５≫
画像評価部４１５は、画像評価値を算出するものである。ここで、「画像評価値」とは、画像データ（元画像または合成画像）それぞれの評価を示す値である。本実施形態では、ユーザまたはユーザ以外の人からの評価が高い画像（写真）であるほど、画像評価値は高く算出されることとする。換言すると、画像評価値の高い画像は、ユーザにとって撮影および編集における満足度の高い画像、ユーザが特に注力して（工夫して）撮影または編集した画像、または、他人が「良い」と思う画像（他人からの人気が高い画像）であると推定できる。
【０１９８】
なお、画像評価部４１５は、各画像の評価を算出できればよい。本実施形態では一例として、画像評価部４１５は、所定の評価ボタンが選択された場合、評価ボタンに対応する画像の画像評価値を１とし、評価ボタンが選択されていない場合、画像評価値を０とする。しかしながら、画像評価部４１５の画像評価値の算出方法はこれに限定されない。
【０１９９】
例えば、管理サーバ４は、画像提供サイトにおいて、各ユーザの保存している画像を他のユーザに公開してもよい。この場合、画像評価部４１５は、上記画像を保存したユーザ以外のユーザから上記画像が評価された（画像が支持された）回数から画像評価値を算出してもよい。より具体的には、画像評価部４１５は、上記画像に対応する、いわゆる「いいね！」ボタンが押下された回数に応じて当該画像の画像評価値を算出すればよい。
【０２００】
なお、画像管理部４１４および画像評価部４１５は、画像が評価されたタイミングではなく、管理サーバ４において予め定められた処理を行うタイミング、または所定の時間毎に画像評価値の算出を行ってもよい。例えば、画像管理部４１４は画像の評価（「いいね！」ボタンの押下回数など）を評価対象の画像と対応付けて画像データベース４２４に格納しておき、所定の時間間隔で（例えば１２時間毎または２４時間毎の特定の時刻等に）画像の評価を読み出し、これを用いて画像評価値を算出してもよい。
【０２０１】
また、管理サーバ４はユーザに、画像提供サイトから画像提供サイト以外のウェブサイトまたはアプリケーションへと、ユーザの保存した画像を投稿させてもよい。さらに、管理サーバ４の画像評価部４１５は、投稿先のウェブサイトまたはアプリケーションにて投稿画像が評価された（例えば、「いいね！」ボタンが押下された、またはＴｗｉｔｔｅｒ（登録商標）等でリツイートされた、またはＹｏｕＴｕｂｅ（登録商標）等で投稿画像が閲覧された）回数に応じて、画像評価値を算出してもよい。
【０２０２】
例えば、管理サーバ４の画像管理部４１４は、携帯端末６や写真シール作成装置１を介してユーザから特定の画像を投稿する旨の指示を受ける。そして、画像管理部４１４は、選択された画像を画像データベース４２４から読み出して、所定の（またはユーザが指定した）ウェブサイトまたはアプリケーションに投稿する。なお、このとき、画像管理部４１４は、上記投稿を一意に特定する情報（投稿特定情報）を取得し、投稿した画像と対応付けて画像データベース４２４に保存しておく。投稿特定情報は、例えば投稿のＩＤなどであってよい。
【０２０３】
そして、画像評価部４１５は、所定の時間間隔（例えば、１日毎など）等で、上記投稿特定情報をキーとして、上記ウェブサイトまたはアプリケーションから上記投稿特定情報に対応する投稿（上記画像が含まれる投稿）を取得し、当該投稿に含まれる画像の評価（リツイート数など）を特定する。そして、画像評価部４１５は、特定した上記画像の評価に応じて画像評価値を算出する。
【０２０４】
また、画像評価部４１５は、画像データベース４２４に保存されている画像が、画像提供サイトで編集された時間（編集時間）に応じて画像評価値を算出してもよい。この場合、管理サーバ４の制御部４０１は、ウェブページ作成部４１３が特定の画像の編集画面を作成し、携帯端末６に送信したときに、当該画像の編集時間の計測を開始する。なお、当該計測は、制御部４０１のリアルタイムクロック等の時刻を参照し行えばよい。また、管理サーバ４のウェブページ作成部４１３は、ユーザが画像編集を行っているときに、画像１枚ずつの編集時間を評価していることを明示した編集画面を作成し、携帯端末６に表示させてもよい。
【０２０５】
そして、制御部４０１は、携帯端末６から別の画面のリクエスト（編集画面から別の画面に遷移する旨の指示）を受信した場合に、上記計測を停止し、編集時間を算出する。画像評価部４１５は、上記編集時間が算出されると、編集時間に応じて画像評価値を算出する。なお、画像の編集時間は、制御部４０１により画像データベース４２４に、画像に対応付けられて保存される。
【０２０６】
なお、上記編集時間が長い、すなわちユーザが画像編集にかかった時間が長い画像は、ユーザが特に注力して（工夫して）編集した画像である。そのため、画像評価部４１５は制御部４０１が算出した編集時間が長いほど、画像評価値を高く算出することが望ましい。また、上記編集時間は、同じ画像が再度編集される（同じ画像について再度編集画面が作成され、携帯端末６にて編集操作が行われる）と累積されてもよい。
【０２０７】
≪ウェブページ作成部４１３≫
ウェブページ作成部４１３は、携帯端末６からのリクエストに応じて、画像データベース４２４に保存されているユーザの画像のうち、閲覧および編集対象となる画像を選択するためのウェブページ（画像選択ページ）を作成する。
【０２０８】
より詳しくは、ウェブページ作成部４１３は、画像選択ページのテンプレートとなるデータをウェブページデータベース４２３から取得する。また、ウェブページ作成部４１３は、画像データベース４２４のユーザの画像記憶領域を参照し、当該領域に保存されている画像（または当該画像のサムネイル）を読み出す。そして、ウェブページ作成部４１３は、ウェブページデータベース４２３から取得したデータに、画像データベース４２４から読み出した画像（サムネイル）を配置する（合成する）ことにより、画像選択ページを作成する。
【０２０９】
また、ウェブページ作成部４１３は、携帯端末６からのリクエストに応じて、画像編集の対象となる画像（編集対象画像）の編集画面を作成する。ここで、編集画面とは、編集対象画像に落書きを施すための画面である。編集画面の具体例は後述する。
【０２１０】
より詳しくは、ウェブページ作成部４１３は、編集画面のテンプレートとなるデータをウェブページデータベース４２３から取得し、当該ウェブページデータに、画像データベース４２４から読み出した画像と、記憶部４０２から読み出した一括落書きの候補とを合成することにより編集画面を作成する。ウェブページ作成部４１３は画像選択ページおよび編集画面を携帯端末６に送信する。
【０２１１】
≪落書き特定部４１６≫
落書き特定部４１６は、画像データベース４２４に画像とともに格納されている画像評価値に応じて一括落書きの候補を特定する。なお、「一括落書き」とは、ユーザが指定するパラメータではなく、管理サーバ４が規定するパラメータで適用される落書きを示す。なお、パラメータとは上述の通り、位置、大きさ、角度、形など落書き（スタンプ等）の配置に係る値や、色調、明度、彩度など落書き（フィルタリングなど）による画像全体に対する効果を定める値である。なお、本実施形態に係る管理サーバ４は、一括落書きとして、スタンプ、フィルタ、文字ラベルなど複数の落書きを所定の位置、大きさ、色などで組み合わせた１セットの落書きを施しても良いし、１つの落書きを、所定の位置、大きさ、色などで施してもよい。
【０２１２】
以下、落書き特定部４１６の一括落書きの特定方法について、図１８を用いて説明する。図１８は、本発明の管理サーバ４が一括落書きの候補を特定する処理の流れの例を示すフローチャートである。
【０２１３】
画像評価部４１５が画像評価値を更新すると（ステップＳ１００）、落書き特定部４１６は画像データベース４２４におけるログインユーザの画像記憶領域を参照する。そして、落書き特定部４１６は、当該領域に保存されている画像のうち、画像評価値が所定値以上であるか画像があるか否かを判定する（ステップＳ１０２）。
【０２１４】
なお、上記「所定値」は、画像データベース４２４に保存している画像のうち、ユーザの満足度が他の画像より高い、または、ユーザ以外の人間からの評価が他の画像より高いことを示す値であればよい。換言すると、上記「所定値」は、画像データベース４２４にユーザが保存した画像のうち、特に「良い」画像を絞り込みできる（特定できる）値であればよい。以降、画像評価値が所定値以上である画像を、「高評価画像」と称する。
【０２１５】
ここで、画像データベース４２４のユーザの画像記憶領域に高評価画像が存在する場合（ステップＳ１０２でＹＥＳ）、落書き特定部４１６は、高評価画像を特定し（ステップＳ１０４）、高評価画像に施された落書きを特定する（Ｓ１０６）。
【０２１６】
上述の通り、画像データベース４２４に格納された画像は、元画像と、元画像に施された落書き（および落書きのパラメータ）とから成る。そのため、落書き特定部４１６は、高評価画像に含まれる落書きおよびパラメータを抽出することにより、高評価画像に施された落書きを特定することができる。落書き特定部４１６は、１枚の高評価画像から特定した落書き（および当該落書きに係るパラメータ）を１セットの一括落書きの候補として、記憶部４０２に記憶させる（ステップＳ１０８）。
【０２１７】
一方、画像データベース４２４のユーザの画像記憶領域に高評価画像が存在しない場合（ステップＳ１０２でＮＯ）、落書き特定部４１６はステップＳ１０４〜１０８の処理を行わない。すなわち、記憶部４０２に格納された一括落書きの候補を更新しない。または、落書き特定部４１６は、一括落書きの候補が無いことを示す情報を記憶部４０２に格納する。
【０２１８】
以上の処理により、管理サーバ４は、画像評価値が更新される度に現在の高評価画像に基づいて一括落書きの候補を更新することができる。ここで、高評価画像、すなわちユーザの満足度または他人からの人気が高い画像に含まれる落書きは、ユーザが別の画像に対しても使用する（落書きする）可能性が高いと推定される。そのため、ユーザ毎に、高評価画像に含まれる落書きを一括落書きの候補として記憶しておくことが望ましい。
【０２１９】
さらに、ウェブページ作成部４１３は、携帯端末６から編集画面のリクエストを受信した場合、落書き特定部４１６が特定した一括落書きの候補に対応する選択肢を含む編集画面を作成し、携帯端末６に表示させる。これにより、ユーザの嗜好に適した落書きを、ユーザが選択するだけで適用させることができる。したがって、管理サーバ４は、各ユーザに適した編集操作（画像編集のためのツール）を提供することができる。
【０２２０】
なお、上記「所定値」は、画像評価値の算出方法（画像の評価方法）に応じてその値を適宜変えてもよい。本実施形態では一例として、上記「所定値」を１とする。すなわち、落書き特定部４１６は、ログインユーザが画像データベース４２４に保存した画像のうち、評価値が１以上（すなわち、所定の評価ボタンが選択された）画像を高評価画像として特定する。
【０２２１】
なお、高評価画像は１つの画像であってもよいし、複数の画像であってもよい。また、落書き特定部４１６は、高評価画像のうち落書きを含まない画像（元画像）からは一括落書きの候補を特定しなくてもよい。さらに、落書き特定部４１６は、全ての高評価画像が落書きを含んでいない（元画像である）場合、所定の落書きを一括落書きの候補として記憶部４０２に記憶してもよいし、記憶部４０２に記憶された一括落書きの候補を示すデータを更新しないこととしてもよい。
【０２２２】
（画像編集サービスにおける画面遷移）
≪画像選択ページの表示≫
以下、画像編集サービスにおける処理の流れおよび画面遷移を、図１９を用いて説明する。図１９は、画像提供サイトにおいて画像編集を行うために、ウェブページ作成部４１３が作成し、携帯端末６の表示部に表示されるウェブページの一例を示す画面遷移図である。
【０２２３】
管理サーバ４（画像提供サイト）は、携帯端末６（携帯端末６のユーザ）からのログインを受け付けると、ウェブページ作成部４１３にて会員トップページ１０３１（図１７の（ｂ））を作成し、携帯端末６へと送信する。
【０２２４】
携帯端末６に表示された会員トップページ１０３１においてユーザによりリンク画像１０３３が選択されると、携帯端末６は、画像選択ページを管理サーバ４にリクエストする。
【０２２５】
管理サーバ４は上記リクエストを受信すると、ウェブページ作成部４１３にて画像選択ページ１０５１を作成し、携帯端末６に送信する。そして、携帯端末６は画像選択ページ１０５１を表示する。
【０２２６】
≪画像選択ページにおける画像の評価≫
図１９の（ａ）および（ｂ）は画像選択ページ１０５１を示す図である。図示の通り、画像選択ページ１０５１には、サムネイル１０５２が一覧表示される。このサムネイル１０５２はそれぞれ、ログインしたユーザの、画像データベース４２４上の画像記憶領域に保存されている画像を示す。換言すると、画像選択ページ１０５１には、ログインユーザが保存した（保存を指示した）画像のサムネイル１０５２が一覧表示される。
【０２２７】
サムネイル１０５２にはそれぞれ、各サムネイル１０５２が示す画像をユーザが評価するための評価ボタン１０５３が付されている。図１９の（ａ）に示す画面が表示部６０５に表示されている状態で、ユーザにより携帯端末６の入力部６０４が操作され画像Ａのサムネイル１０５２に対応する評価ボタン１０５３が選択されたとする。この場合、携帯端末６は管理サーバ４（ウェブページ作成部４１３）に対し、画像Ａの評価を更新する（画像を評価する）旨の指示を送信する。そして、画像管理部４１４が上記指示を受信すると、画像評価部４１５は、画像Ａの画像評価値を１とし、画像データベース４２４内の画像Ａの画像評価値を更新する。また、落書き特定部４１６は、画像評価値が更新されると、高評価画像を特定し、高評価画像に施された落書きを一括落書きの候補として記憶部４０２に記憶させる。したがって、図１９の（ａ）に示す例では、画像Ａが高評価画像として特定され、画像Ａに施された落書きが一括落書きの候補として特定される。
【０２２８】
なお、ウェブページ作成部４１３は、評価ボタン１０５３が選択された場合、画像の評価が反映された画像選択ページ１０５１を作成してもよい。そして、携帯端末６は評価が反映された画像選択ページ１０５１を表示部６０５に表示してもよい。例えば、図１９の（ａ）に示す画像選択ページ１０５１にて、画像Ａの評価ボタン１０５３が選択された場合、ウェブページ作成部４１３は図１９の（ｂ）に示すように、画像Ａに所定の目印１０５４を付してもよい。また、この場合、選択済の評価ボタンは表示しなくてもよい。
【０２２９】
このように、ユーザは携帯端末６を操作し、画像選択ページ１０５１中の各評価ボタン１０５３を押下することで、保存した画像の撮影および編集に満足したか否かを評価することができる。なお、評価ボタン１０５３は一例にすぎず、管理サーバ４は、ボタン（ユーザの選択および非選択を検知する）以外のインタフェースにより、ユーザに（携帯端末６を介して）各画像に対する評価を入力させてもよい。例えば、評価ボタン１０５３の代わりに、各画像の点数を記入する入力欄を設けてもよい。または、評価ボタン１０５３は、選択すると画像評価値が下がる（当該画像の撮影および編集に満足していないことを示す）ボタンであってもよい。または、評価ボタン１０５３は、加点や減点を段階的に行うことができる、多段階評価のためのボタンであってもよい。
【０２３０】
≪編集画面および操作の例≫
一方、図１９の（ｂ）に示す画面が表示部６０５に表示されている状態で、ユーザにより携帯端末６が操作され、画像Ｂが選択されると、携帯端末６は画像Ｂの編集画面のリクエストを管理サーバ４に送信する。管理サーバ４は上記リクエストを受信すると、ウェブページ作成部４１３にて、画像Ｂの編集画面を作成する。ウェブページ作成部４１３は画像Ｂの編集画面を携帯端末６に送信し、携帯端末６の表示部６０５は画像Ｂの編集画面を表示する。
【０２３１】
図１９の（ｃ）は、画像Ｂの編集画面１０６１の具体例を示す図である。図示の通り、画像Ｂの編集画面１０６１には画像Ｂと、一括落書きの選択肢１０６２と、画像Ｂに施す画像編集処理のカテゴリを選択するための選択肢１０６３とが表示される。
【０２３２】
ここで、画像編集のカテゴリとは、例えば、画像に重ねて表示するオブジェクトである「スタンプ」、画像Ｂの縁を装飾するための「フレーム」、画像Ｂ全体の色調（明度、彩度、およびコントラストなど）や明暗、効果などを変更する「フィルタ」などである。ユーザは、選択肢１０６３から所望のカテゴリを選択し、さらに当該カテゴリ内の、具体的な処理（落書き）内容を選択する。
【０２３３】
一方、一括落書きの選択肢１０６２は、一括落書きの候補を示す選択肢であり、記憶部４０２に記憶されている一括落書きの候補を示す情報を読み込むことにより表示される。例えば、図１９の（ａ）〜（ｃ）の例では、上述の通り画像Ａに施された落書きを示す情報が、一括落書きの候補を示す情報として記憶部４０２に格納されている。そのため、図１９の（ｃ）に示す編集画面１０６１では、画像Ａに施された落書き（画像Ａに施された落書きのセット）を示す選択肢が、一括落書きの選択肢１０６２として表示される。なお、図１９の（ｃ）では一括落書きの選択肢１０６２は１つとなっているが、当該選択肢は複数であってもよい。
【０２３４】
ユーザにより一括落書きの選択肢１０６２から所望の１つが選択されると、選択された一括落書きは、高評価画像で落書きした時のパラメータ（位置、大きさ、色、取付け角度など）と同一のパラメータで画像Ｂに適用される。
【０２３５】
例えば、図１９の（ｃ）に示す画面を表示した状態で、ユーザにより携帯端末６の入力部６０４が操作され、「画像Ａの落書き」が選択されると、当該選択を示す指示が、管理サーバ４の画像管理部４１４に送信される。そして、画像管理部４１４は、画像データベース４２４から画像Ｂを読み出し、画像Ｂに対し、画像Ａと同じ位置、色、角度、および大きさで、一括落書き（画像Ａに施された落書き）を適用する。なお、画像管理部４１４は、例えば高評価画像と、編集対象の画像との縦横比や画像サイズが異なる場合、上記一括落書きを、高評価画像に落書きを適用した時のパラメータ（位置等）と対応するパラメータで編集対象の画像に適用してもよい。
【０２３６】
このように、一括落書きの選択肢１０６２の中からユーザに一括落書きを選択させることにより、管理サーバ４はユーザに、画像提供サイト上で画像編集を行わせることができる。また、管理サーバ４はユーザに、一括落書き、すなわち上手く編集できた画像と同じ落書きを行わせることができる。したがって、ユーザは画像に施したい落書きを探す手間を省くことができる。さらに、上手く編集できた画像と同じ落書きを、別の画像に簡単に適用することができるので、各画像に対するユーザの満足度が高くなるという効果を奏する。
【０２３７】
なお、画像Ｂの編集画面１０６１は、画像Ｂと、少なくとも１つの一括落書きの選択肢１０６２とを表示すればよい。換言すると、画像Ｂの編集画面１０６１において、画像編集のカテゴリの選択肢１０６３の表示は必須ではない。
【０２３８】
また、本実施形態では、高評価画像に施された落書き全てを１セットとしたものを一括落書きの候補として特定したが、落書き特定部４１６は、高評価画像に含まれる落書きをそれぞれ別個に特定し、特定した落書きをそれぞれ１つの一括落書きの候補として特定してもよい。
【０２３９】
（実施形態１の変形例）
≪１：写真シール作成装置にて画像評価値を算出する≫
なお、本実施形態に係る撮影画像管理システム１０は、写真シール作成装置１にて画像評価値を算出し、管理サーバ４が写真シール作成装置１から画像評価値を受信する構成であってもよい。例えば、写真シール作成装置１の撮影制御部３１２は、写真シール作成ゲームの撮影工程にて、ユーザを被写体とする撮影を行ったときに、撮影画像（落書きされていない元画像）に含まれるユーザ（人物）の顔の表情を特定してもよい。そして、写真シール作成装置１の制御部２０１は、撮影制御部３１２が特定した表情に基づいて、画像評価値を算出してもよい。なお、上記表情の特定は、従来からある顔認識技術等の画像解析技術を用いて実現すればよい。
【０２４０】
より具体的には、例えば上記特定した表情がより笑顔に近い、すなわち、ユーザが笑顔で写っている可能性が高い画像ほど、画像評価値を高く算出することとすればよい。ユーザが笑顔で写っている撮影画像は、ユーザにとって上手く撮影できた画像であると推定できる。そのため、笑顔で写っている撮影画像の画像評価値を高く算出することで、ユーザが上手く撮影できた画像を高評価とすることができる。
【０２４１】
なお、写真シール作成装置１は編集部１２（編集部１２Ａまたは１２Ｂ）にカメラ等の撮像手段を設けていてもよい。この場合、写真シール作成装置１の編集制御部３１３は、上記撮像手段に、編集部１２において画像編集を行っているユーザの様態を撮影させ、撮影動画（ライブビュー動画）または所定の時間間隔で撮影した静止画を取得してもよい。そして、制御部２０１は、編集制御部３１３が取得した撮影動画または静止画に写ったユーザの顔が笑顔である場合に、画像評価値を上げることとしてもよい。
【０２４２】
また、撮影制御部３１２は、写真シール作成ゲームの撮影工程にて、ユーザによって撮影が指示されるまでにカメラ９１が取り込んだ動画像において、上記ユーザが動いた量（動作量）が大きいほど画像評価値を高く算出してもよい。
【０２４３】
ここで、上記ユーザの動作量は、ユーザが写真撮影における立ち位置を調節したりなどして、積極的に動き回った場合に大きくなると推定できる。つまり、カメラ９１が取り込んだ動画像においてユーザの動作量が多い場合、ユーザはより積極的に（上手く撮影しようと考えて）撮影を行ったと推定できる。したがって、上記動画像において動作量が大きいほど画像評価値を高く算出することで、ユーザが上手く撮影するために工夫した画像を高評価とすることができる。
【０２４４】
以上のように、制御部２０１にて算出された画像評価値は、管理サーバ４の画像管理部４１４へと送信される。画像管理部４１４は、写真シール作成装置１から画像評価値を受信すると、当該画像評価値を評価対象の画像のデータと対応付けて画像データベース４２４に記録する（画像評価値を更新する）。そして、画像評価値の更新が行われると、管理サーバ４の落書き特定部４１６は、高評価画像から一括落書きの候補を決定する。したがって、管理サーバ４は、上手く撮影できた、または上手く撮影するためにユーザが工夫した画像に適用されている落書きを、一括落書きの候補としてユーザに提示することができる。したがって、管理サーバ４はユーザに適した編集操作（落書き）を提示することができる。
【０２４５】
また、制御部２０１は、写真シール作成ゲームの編集工程（図１４のステップＳ３）にて、各画像にかかった編集時間が長いほど画像評価値を高く算出してもよい。この場合、編集制御部３１３は、編集工程において、タブレット内蔵モニタ１３１にて画像が拡大表示（編集対象として選択）されると、編集時間の計測を開始する。なお、当該計測は、制御部２０１のリアルタイムクロック等の時刻を参照し行えばよい。また、編集制御部３１３は、タブレット内蔵モニタ１３１に表示している編集画面上に、写真シール作成装置１が画像評価を実施している旨を表示してもよい。
【０２４６】
そして、編集制御部３１３は、タブレット内蔵モニタ１３１にて上記編集対象の画像を変更する指示、または編集工程の終了の指示が入力された場合、上記編集時間の計測を停止する。そして、制御部２０１は、上記編集時間に応じて画像評価値を算出する。なお、当該編集時間は、画像に対応付けられて管理サーバ４に送信されてもよい。
【０２４７】
なお、上述したように、上記編集時間が長い画像は、ユーザが特に注力して（工夫して）編集した画像であるため、編集制御部３１３が算出した編集時間が長いほど、画像評価値が高いことが望ましい。また、上記編集時間は、同じ画像が再度編集対象となった場合累積されてもよい。
【０２４８】
また、他の画像評価方法として、制御部２０１は、一番先に落書きされた（落書きの適用が決定された）画像の画像評価値を高く算出してもよい。ここで、ユーザにより一番先に落書きされた画像は、ユーザに気に入られている画像であると推定できる。したがって、写真シール作成装置１（制御部２０１）は、一番先に落書きされた画像の画像評価値を高く算出することにより、ユーザの満足度の高い画像の画像評価値を高く算出できる。
【０２４９】
なお、本実施形態に係る写真シール作成装置１は、画像評価値を算出せずに、画像評価値を算出するための上記情報（表情の特定結果、動作量、画像毎の編集時間）を管理サーバ４に送信してもよい。この場合、管理サーバ４の画像評価部４１５が、上記写真シール作成装置１から受信した、画像評価値を算出するための情報から画像評価値を算出すればよい。
【０２５０】
≪２：ゲームの編集工程で一括落書きを利用する≫
なお、本実施形態に係る管理サーバ４は、記憶部４０２に格納している各ユーザの一括落書きの候補を、写真シール作成装置１に通知してもよい。また、写真シール作成装置１は、写真シール作成ゲームの編集工程において、管理サーバ４から通知された一括落書きの候補のいずれかと同じ、または当該候補と相関がある（当該候補と類似する）落書きをユーザに提供可能な場合、当該落書きを一括落書きの候補としてユーザに提示してもよい。そして、写真シール作成装置１は、上記提示した一括落書きの候補をユーザが選択した場合、編集対象画像に選択した一括落書きを、管理サーバ４から通知されたパラメータで適用してもよい。
【０２５１】
以下、本変形例に係る写真シール作成装置１および管理サーバ４について説明する。なお、実施形態１の説明ですでに説明した事項については、詳細な説明を省く。
【０２５２】
本実施形態では、管理サーバ４は、各ユーザの一括落書きの候補を写真シール作成装置１に通知するために、写真シール作成装置１にてゲームを行っているユーザを特定する。そのため、本変形例に係る撮影画像管理システム１０において、写真シール作成装置１および管理サーバ４はユーザの会員認証（画像提供サイトを利用するための会員認証）を行う。
【０２５３】
≪会員認証≫
本変形例に係る写真シール作成装置１は、認証制御部３１６を備える。また、本変形例に係る管理サーバ４は、認証部４１７を備える。また、本変形例に係る携帯端末６は、非接触型ＩＣ６１４を備える。
【０２５４】
写真シール作成装置１において、撮影空間Ａ１における写真撮影（図１４のＳ２）が終了すると、撮影制御部３１２はユーザに、編集空間Ａ２−１またはＡ２−２への移動の案内を行うとともに、認証制御部３１６に対し会員認証の開始を通知する。認証制御部３１６は通知を受けると、非接触型ＩＣリーダ／ライタ９５Ａおよび非接触型ＩＣリーダ／ライタ９５Ｂを起動（通信待機）させる。ここで、ユーザの携帯端末６（非接触型ＩＣ６１４）が非接触型ＩＣリーダ／ライタ９５Ａまたは９５Ｂに近接すると、非接触型ＩＣリーダ／ライタ９５Ａまたは９５Ｂは、非接触型ＩＣ６１４と通信を開始する。なお、通信規格としては、従来からある通信規格を利用すればよい。
【０２５５】
非接触型ＩＣリーダ／ライタ９５Ａまたは９５Ｂは、非接触型ＩＣ６１４に携帯端末６のユーザの認証情報（例えば、会員ＩＤおよびパスワード）を要求する。当該要求を受けて、非接触型ＩＣ６１４は、制御部６０１を介し、記憶部６０２から携帯端末６のユーザの認証情報を読み出し、非接触型ＩＣリーダ／ライタ９５Ａまたは９５Ｂに送信する。
【０２５６】
写真シール作成装置１は非接触型ＩＣ６１４から認証情報を受信すると、これらを用いて管理サーバ４と会員認証を行うことにより、管理サーバ４から一括落書きの候補を取得する。図２０は、写真シール作成装置１と管理サーバ４が会員認証を行い、写真シール作成装置１が一括落書きの候補を表示する処理の流れを示すシーケンス図である。
【０２５７】
写真シール作成装置１の認証制御部３１６は、非接触型ＩＣリーダ／ライタ９５Ａまたは９５Ｂから受信した認証情報を管理サーバ４に送信するとともに、管理サーバ４に会員認証の要求を送信する（ステップＳ２００）。
【０２５８】
管理サーバ４の認証部４１７は、通信部４０３および通信制御部４１１を介し、上記会員認証の要求と、認証情報とを受け付ける（ステップＳ２０２）。そして、認証部４１７は、受信した認証情報を、会員データベース４２２の会員情報と照合することによって、上記認証情報が示すユーザが画像提供サイトの会員か否か（会員認証の成否）を判定する（ステップＳ２０４）。
【０２５９】
上記認証情報が会員情報に登録されている場合、認証部４１７は会員認証が成功したと判定する。（ステップＳ２０４でＹＥＳ）、そして、認証部４１７は、認証成功の通知と、記憶部４０２に格納されている、上記会員認証が成功したユーザの一括落書きの候補を示す情報とを写真シール作成装置１へと送信する（ステップＳ２０６）。
【０２６０】
一方、上記認証情報が会員情報に登録されていない場合、認証部４１７は会員認証が失敗したと判断し（ステップＳ２０４でＮＯ）写真シール作成装置１に対し、会員認証が失敗した旨を通知する（ステップＳ２０８）。
【０２６１】
≪一括落書きの候補の取得≫
制御部２０１は、管理サーバ４の認証部４１７から会員認証の結果と、会員認証が成功した場合は、ユーザの一括落書きの候補とを受信する（ステップＳ２１０）。写真シール作成装置１の編集制御部３１３は上記一括落書きの候補を示す情報を受信すると、当該候補に応じた（候補のいずれかと同じまたは相関がある）落書きをユーザに提供可能な場合、当該落書きを一括落書きの候補として、タブレット内蔵モニタ１３１に表示する（ステップＳ２１２）。そして、写真シール作成装置１は、タブレット内蔵モニタ１３１に表示した一括落書きの候補を、ユーザがタッチペン１３２Ａまたは１３２Ｂ等を用いて選択した場合、選択された候補が示す落書きを、その時点で編集対象となっている画像に一括落書きとして適用する。
【０２６２】
以上の処理を行うことにより、写真シール作成装置１は、管理サーバ４から一括落書きの候補を示す情報を受信することができる。そして、当該候補と同じまたは類似の一括落書きを、写真シール作成装置１にて編集対象となっている画像に施すことができる。したがって、写真シール作成装置１は、各ユーザに適した落書きを提示できるという効果を奏する。
【０２６３】
なお、本実施形態では、ユーザ認証において、編集部１２の非接触型ＩＣリーダ／ライタ９５Ａおよび９５Ｂの少なくともいずれかが非接触型ＩＣ６１４と通信を行うこととした。しかしながら、これに限られず、本実施形態に係る写真シール作成装置１は、撮影部２１の非接触型ＩＣリーダ／ライタ９４Ａおよび９４Ｂの少なくともいずれかを用いてユーザ認証を行ってもよい。
【０２６４】
さらに、上述の説明では、非接触通信（非接触型ＩＣおよび非接触型ＩＣリーダ／ライタ）を用いてユーザ認証を行うこととしたが、本変形例において、写真シール作成装置１と携帯端末６との間の通信は、写真シール作成装置１が携帯端末６から認証情報を受信できる方法でありさえすればよく、その通信方法は特に限定されない。
【０２６５】
≪３：画像評価値を一括落書きの候補の決定以外に利用する≫
なお、本実施形態に係る管理サーバ４は、画像評価部４１５が算出した画像評価値と、落書き特定部４１６が特定した一括落書きの候補とを、上述した用途以外に用いてもよい。以下、画像評価値と、一括落書きの候補との使用例について説明する。
【０２６６】
本実施形態に係る管理サーバ４は、画像データベース４２４のユーザの画像記憶領域に格納された画像のうち、落書きがなされていない画像に対し、落書き特定部４１６が特定した一括落書きの候補のうち少なくとも１つを自動的に適用してもよい。
【０２６７】
また、本実施形態に係る管理サーバ４は、画像評価部４１５が算出した画像評価値が特に高い（上述した高評価画像の画像評価値と同じか、それ以上に高い）画像を、当該画像を保存したユーザ以外のユーザに開示してもよい。なお、この場合、画像提供サイト上で上記画像を開示してもよいし、他のユーザの携帯端末６に上記画像を送信してもよい。
【０２６８】
さらにこの場合、画像とともに、当該画像に適用されている落書きが他のユーザに分かるように開示されることが望ましい。換言すると、管理サーバ４は、特に画像評価値の高い画像は、他のユーザが編集操作（落書き）する際の手本とできるように開示することが望ましい。
【０２６９】
また、本実施形態に係る管理サーバ４は、ユーザ毎に、画像データベース４２４に保存された画像の画像評価値、または、画像評価値の算出に用いる評価の回数に応じて、ユーザ毎にポイントを付与してもよい。ここで、「ポイント」とは、画像提供サイト内のサービス、または写真シール作成装置１にて写真シール作成ゲームにて使用することによりユーザが利益を得られるポイントを意味する。
【０２７０】
例えば、画像データベース４２４に保存された画像を、画像提供サイトから画像提供サイト以外のウェブサイトまたはアプリケーション等へ投稿する場合、管理サーバ４の制御部４０１は、投稿された画像が評価された（「いいね！」ボタンが押下された、またはリツイートされた等）場合、当該画像を投稿した（画像を画像データベース４２４に保存した）ユーザに所定数のポイントを付与してもよい。
【０２７１】
また、本実施形態に係る管理サーバ４は、制御部４０１が各画像の編集時間を算出する場合、当該編集時間が少ない画像を特定し、画像提供サイト上で、ユーザに対し特定した画像の編集を促してもよい。
【０２７２】
例えば、ウェブページ作成部４１３は、画像選択ページ１０５１を作成するときに画像データベース４２４の各画像の編集時間を参照し、編集時間が所定の下限値より低い画像を特定する。そして、特定した画像のサムネイルに、画像編集を促す（または、編集時間が少ない旨を示す）コメントや目印等を付す。
【０２７３】
なお、上記「所定の下限値」とは、画像に対する編集時間が十分でない（一般的に行われる画像編集にかかる時間よりも編集時間が少ない）ことを示す値である。また、上記「所定の下限値」は、編集時間が０、つまり未編集である場合も含んでいてよい。
【０２７４】
〔実施形態２〕
本発明に係る管理サーバは、上記第１実施形態にて説明した画像評価値の代わりに（または画像評価値とともに）落書き履歴（編集履歴）を取得し、落書き履歴（および画像評価値）に応じて一括落書きの候補を決定し、ユーザに提示してもよい。ここで、「落書き履歴」とは、編集工程において画像に適用（合成）された落書きを示す情報である。以下、本発明の第２実施形態について説明する。なお、以下の説明では、実施形態１にて説明した部材と同じ機能を有する部材については同じ符号を付記し、その説明を省略する。
【０２７５】
本実施形態に係る写真シール作成装置１の編集制御部３１３は、写真シール作成ゲームの編集工程（図１４のステップＳ３）において、落書き履歴を取得する。より詳しくは、編集制御部３１３は上記編集工程において、タブレット内蔵モニタ１３１において、ユーザにより落書きの選択および合成（編集対象の画像に対する合成）を決定する旨の入力がなされた場合、決定された落書きを記憶する。編集制御部３１３は、編集工程の間、上述のように決定された（合成された）落書きを記憶し、これらの落書きを示す情報を落書き履歴として一時記憶する。
【０２７６】
ここで、編集制御部３１３は、写真シール作成ゲームの編集工程（１回のゲームプレイにおける編集工程）において、ユーザの指示に従い複数枚の画像に落書きを適用する。換言すると、ユーザは１回のゲームプレイで編集対象の画像を切替えながら、複数枚の画像に落書きを行う。また、ここで適用された落書きは、画像の完成（編集工程の終了）前に削除（適用のキャンセル）を行うこともできる。
【０２７７】
そのため、編集制御部３１３は落書き履歴として、画像を示す情報と、当該画像に実際に適用された落書きを示す情報とを記憶することが望ましい。ここで、「実際に画像に適用された落書き」とは、写真シール作成装置１の編集工程において適用された落書きで、当該落書きが適用された状態で、画像が完成した（編集工程が終了された）落書きを示す。
【０２７８】
さらに、編集制御部３１３は、画像を示す情報と、実際に適用された落書きと、当該落書きの適用順序（実際に適用された落書きの中での適用順序）とを記憶することが望ましい。なぜならば、上述の通り、写真シール作成ゲームの編集工程では、編集制御部３１３は落書きの適用をキャンセルする（落書きを削除する）操作も受け付けるからである。
【０２７９】
例えば、ユーザが写真シール作成装置１に対し落書きの全削除を指示した場合、編集制御部３１３は編集対象の画像に適用した落書きを全て削除する。ここで、削除した分の落書きに対応する落書き履歴も記憶しておくとすると、完成画像の作画には使用されていない（実際にはキャンセルされていて、適用されていない）落書きの落書き履歴までも保持してしまうことになる。そのため、上述の通り、落書き履歴としては、画像を示す情報と、実際に適用された落書きと、当該落書きの適用順序（実際に適用された落書きの中での適用順序）とを記憶しておくことが望ましい。
【０２８０】
≪落書き履歴の詳細構造≫
さらに具体的には、落書き履歴は、以下の２つの方法のいずれかまたは両方を組合わせて落書き履歴を記憶することが望ましい。１つ目は、画像を示す情報に、当該画像に落書きを適用した順序と、適用した落書き自体とを対応づけて、落書き操作の回数分記憶しておく方法である。ここで、「適用した落書き自体」とは、落書きの種類とパラメータ（拡大縮小サイズ、取付け角度、色、および、落書きの取付け位置（ペン画像の場合は、複数の点の列となる））などである。
【０２８１】
２つ目は、落書き履歴として、落書きのパラメータ（作画情報）に加えて落書きの合成用画像の基本画像を持つ方法である。ここで「基本画像」とは、写真シール作成装置１の各機種および各バージョンで共通に使用可能な合成用画像である。
【０２８２】
なお、管理サーバ４は、基本画像自体を落書き履歴として記憶する代わりに、上記機種およびバージョンごとに落書き履歴を記憶する場合は、落書き履歴として、写真シール作成装置１の機種、バージョン、および当該機種（およびバージョン）で一意に定まる、基本画像のＩＤ番号を記憶してもよい。
【０２８３】
このように、写真シール作成装置１の機種およびバージョンに影響されない基本画像を落書き履歴に含むことにより、管理サーバ４は、上記落書き履歴が示す落書きを復元する（他の画像に一括落書きするなど）場合に、当該落書きを適用した写真シール作成装置１の機種およびバージョンに関わらず復元することができる。
【０２８４】
次に、事後接客制御部３１５は、事後接客の工程（図１４のステップＳ５）において、ユーザがメールアドレス等自己を識別する情報（識別情報）を入力し、管理サーバ４（管理サーバ４の一時保存データベース）に画像を送信する際に、編集制御部３１３が一時記憶していた落書き履歴を、当該識別情報に紐付けて送信する。
【０２８５】
管理サーバ４の制御部４０１は、上記識別情報と、上記落書き履歴と、画像とを受信すると、識別情報と、落書き履歴および上記画像とをそれぞれ対応づけて、一時保存データベースに記憶する。また、管理サーバ４の画像管理部４１４は、ユーザ（携帯端末６から）の指示により、一時保存データベースに保存された画像が画像データベース４２４に保存された場合、上記画像を、画像データベース４２４において上記識別情報が示すユーザの画像記憶領域に保存する。また、画像管理部４１４は、上記落書き履歴を、上記識別情報が示すユーザの会員情報に紐付けて、会員データベース４２２に保存する。以降、管理サーバ４は、写真シール作成装置１から落書き履歴を受信すると、会員データベース４２２に記憶している落書き履歴に履歴を追加（蓄積）していく。そして、落書き特定部４１６は、画像管理部４１４が保存した落書き履歴に応じて一括落書きの候補を決定する。
【０２８６】
これにより、管理サーバ４は、ユーザが写真シール作成装置１の写真シール作成ゲームにて使用した落書きに応じた（使用した落書き自体、または当該落書きと相関がある）落書きを、画像提供サイト上でもユーザに行わせることができる。したがって、ユーザが使用する可能性の高い落書きを、画像提供サイト上でも一括落書きとして提供することができる。したがって、ユーザの嗜好により合致した落書きを画像に適用することができる。
【０２８７】
なお、管理サーバ４の画像管理部４１４は、上述のように保存したユーザの落書き履歴を更新してもよい。より詳しくは、画像管理部４１４は、ウェブページ作成部４１３が作成した編集画面においてユーザの指示により合成された落書きについても、落書き履歴に含めてもよい。
【０２８８】
また、本実施形態に係る管理サーバ４の画像管理部４１４は、保存した落書き履歴から各ユーザの落書きの傾向を特定してもよい。そして、落書き特定部４１６は、落書きの傾向に応じて一括落書きの候補を決定してもよい。例えば、スタンプに分類される落書きを利用する確率が最も高いユーザの場合、落書き特定部４１６は、スタンプに分類される落書きを一括落書きの候補と決定する。または、一括落書きの候補のなかで、スタンプに分類される落書きの優先度（表示順）を最も高くしてもよい。同様に、上記傾向として、ペンでの落書きを多用する、またはテキストを画像に合成することが多いことなどを特定してもよい。
【０２８９】
なお、落書きの傾向を特定する際に、画像管理部４１４は落書きが適用された順序（落書きされた順序）を考慮してもよい。例えば、画像管理部４１４は、先に適用された落書きの重要度を高く、後に適用された落書きの重要度を低く重みづけしてもよい。より具体的には、例えば落書き履歴として記憶されている落書きを、その適用された順序により前半（の順序）に適用された落書きと、後半に適用された落書きとの２つに分ける。そして、前半に適用された落書きを、一括落書きの候補としてより優先的に表示してもよい。
【０２９０】
通常、画像編集の際ユーザは最初に好みの落書きを適用するよう指示すると推定できる。そのため、上述のように先に適用された落書きの重要度を高く重みづけすることにより、ユーザが使用したいと思う可能性が高い落書きを一括落書きの候補として提示、および適用することができる。
【０２９１】
さらに、ウェブページ作成部４１３は、上記傾向に応じて、ユーザが頻繁に使用するスタンプ、ペンなどのツールをまとめて選択可能に表示する編集画面を作成し、携帯端末６に表示させてもよい。例えば、上記編集画面には、お気に入りペン一覧や、お気に入りスタンプ一覧が含まれており、これら一覧から、ユーザに落書きを選択させてもよい。
【０２９２】
また、管理サーバ４の落書き特定部４１６は、ユーザが多用している落書きが施されていない画像を編集する（画像の編集画面を作成する）際に、上記多用している落書きを一括落書きの候補として決定してもよい。すなわち、管理サーバ４は、上記多用している落書きを編集画面に表示し、ユーザによりこの落書きが選択された場合、所定のパラメータにて落書きを適用してもよい。
【０２９３】
また、管理サーバ４は、ユーザが多用している落書きが施されていない画像を編集する際に、上記多用している落書きを行う（多用している落書きを選択し、管理サーバ４に適用させる）ように促してもよい。
【０２９４】
また、本実施形態に係る写真シール作成装置１および管理サーバ４は、メールアドレス等の識別情報に対応付けて落書き履歴を送信する代わりに、実施形態１の変形例１で説明した会員認証において、会員認証が成功した場合（図２０のステップＳ２０２でＹＥＳ）に、認証が成功したユーザの認証情報に含まれる識別情報に、編集工程で得られた落書き履歴を対応づけて管理サーバ４に送信してもよい。
【０２９５】
（実施形態２の変形例）
≪１：写真シール作成装置で編集時間を算出する≫
また、本実施形態に係る写真シール作成装置１は、実施形態１と同様に、制御部２０１にて各画像に対する編集時間を算出してもよい。この場合、写真シール作成装置１は、編集時間（および落書き履歴）を、画像に対応付けて管理サーバ４へ送信すればよい。
【０２９６】
≪２：ゲームの工程毎の時間を計測する≫
さらに、本実施形態に係る写真シール作成装置１は、写真シール作成ゲームの各工程（撮影工程、編集工程、事後接客工程など）において、各工程にかかった時間（撮影時間、編集時間、事後接客工程における入力操作に係る時間など）を計測し、これを管理サーバ４に送信してもよい。そして、管理サーバ４は、上記各工程にかかった時間をユーザ毎に保存してもよい。
【０２９７】
さらにこの場合、写真シール作成装置１は、同ユーザによる次回以降のゲームの際、管理サーバ４から上記各工程にかかった時間を取得してもよい。そして、編集制御部３１３は、写真シール作成ゲームの各工程において、上記かかった時間が長い工程（時間をかけた工程）や上記かかった時間が短い工程（時間が足りなかった工程）について、ユーザの操作を受け付ける時間や画面表示の遷移の速さを変更してもよい。すなわち、写真シール作成装置１は、ユーザの各工程における処理時間に応じて、次回以降のゲームの各工程の制限時間を変更してもよい。
【０２９８】
≪３：画像解析によりサーバが落書き履歴を取得する≫
また、本実施形態に係る管理サーバ４は、写真シール作成装置１から落書き履歴を取得する代わりに、写真シール作成装置１から受信した画像を解析することにより、当該画像に施された落書きを特定し、特定した落書きを示す情報を落書き履歴として記憶部４０２に格納してもよい。
【０２９９】
さらに、管理サーバ４が基本画像を含む落書き履歴を生成し、記憶部４０２に格納する場合は、写真シール作成装置１のいずれの機種およびバージョンにて適用された落書きであっても、その落書きの基本画像が管理サーバ４に保持されることになる。したがって、管理サーバ４は、写真シール作成装置１のいずれの機種およびバージョンで行われた落書きであっても、当該落書きを画像編集サービスとして再現することができる。
【０３００】
≪４：ゲームの編集工程で一括落書きを利用する≫
なお、本実施形態に係る管理サーバ４は、実施形態１と同様、本実施形態においても、記憶部４０２に格納している各ユーザの一括落書きの候補を、写真シール作成装置１に通知してもよい。また、写真シール作成装置１は、写真シール作成ゲームの編集工程において、管理サーバ４から通知された一括落書きの候補のいずれかと同じまたは相関がある落書きをユーザに提供可能な場合、当該落書きを一括落書きの候補としてユーザに提示し、ユーザの選択に応じて適用させてもよい。
【０３０１】
なお、本変形例において、落書き履歴は基本画像を含むデータであることが望ましい。上述のように管理サーバ４は、落書き履歴からユーザの落書きの傾向を判定し、当該傾向に合った落書きを一括落書きの候補と決定する。例えば、管理サーバ４は、ユーザがよく使用する落書きを一括落書きの候補と決定する。このように、管理サーバ４が、落書き履歴に含まれる（すなわち、基本画像が存在する）落書きと同じ種類の落書きを一括落書きの候補と決定する場合、当該候補を取得する写真シール作成装置１は、落書きの適用の際、落書き履歴に含まれる基本画像を合成用画像として用いることができる。そのため、写真シール作成装置１は、自装置の機種およびバージョンに関わらず、管理サーバ４から取得した一括落書きの候補を再現することができる。
【０３０２】
なお、上記実施形態１および２では、撮影画像管理システム１０は、管理サーバ４が提供する画像提供サイト内、または写真シール作成装置１の編集工程にて一括落書きの候補を利用することとしたが、管理サーバ４が保持している一括落書きの候補は、上述した以外のウェブサイトまたはアプリケーション等で用いられてもよい。例えば、管理サーバ４が保持している一括落書きの候補を示す情報を他のアプリケーションを提供するサーバ等に送信することにより、上記アプリケーション内で、一括落書きの候補をユーザに提示してもよい。
【０３０３】
〔ソフトウェアによる実現例〕
写真シール作成装置１、管理サーバ４、および携帯端末６の制御ブロック（特に制御部２０１、制御部４０１および制御部６０１）は、集積回路（ＩＣチップ）等に形成された論理回路（ハードウェア）によって実現してもよいし、ＣＰＵ（Central Processing Unit）を用いてソフトウェアによって実現してもよい。
【０３０４】
後者の場合、写真シール作成装置１、管理サーバ４、および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０３０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０３０６】
本発明は、写真撮影編集作成装置において作成されたユーザの撮影画像をサーバに保存する撮影画像管理システムとして、幅広く利用することができる。
【符号の説明】
【０３０７】
１  写真シール作成装置（写真撮影編集装置）
４  管理サーバ（サーバ）
６  携帯端末
１１  撮影ユニット
１２  編集部
１３  事後接客部
２１  撮影部
９５Ａ  非接触型ＩＣリーダ／ライタ
９５Ｂ  非接触型ＩＣリーダ／ライタ
２０１  制御部（装置評価算出手段）
３１１  通信制御部
３１２  撮影制御部（表情特定手段、動作量特定手段）
３１３  編集制御部（編集時間計測手段、装置編集手段）
３１４  印刷制御部
３１５  事後接客制御部
３１６  認証制御部（認証識別情報取得手段、認証要求手段）
４０１  制御部（編集処理受信手段）
４０２  記憶部
４０３  通信部
４１１  通信制御部
４１２  メール作成部
４１３  ウェブページ作成部（候補提示手段）
４１４  画像管理部（編集手段、評価取得手段）
４１５  画像評価部（評価算出手段）
４１６  落書き特定部（編集処理特定手段）
４１７  認証部
６０１  制御部
６０２  記憶部
６０３  通信部
６０４  入力部
６０５  表示部
６１１  通信制御部
６１２  入力制御部
６１３  表示制御部
６１４  非接触型ＩＣ
【図１】
2015179222.tif 000003
【図２】
2015179222.tif 000004
【図３】
2015179222.tif 000005
【図４】
2015179222.tif 000006
【図５】
2015179222.tif 000007
【図６】
2015179222.tif 000008
【図７】
2015179222.tif 000009
【図８】
2015179222.tif 000010
【図９】
2015179222.tif 000011
【図１０】
2015179222.tif 000012
【図１１】
2015179222.tif 000013
【図１２】
2015179222.tif 000014
【図１３】
2015179222.tif 000015
【図１４】
2015179222.tif 000016
【図１５】
2015179222.tif 000017
【図１６】
2015179222.tif 000018
【図１７】
2015179222.tif 000019
【図１８】
2015179222.tif 000020
【図１９】
2015179222.tif 000021
【図２０】
2015179222.tif 000022